【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
複数の側を提供し、前記複数の側のそれぞれが、タブレットコンピュータの電子表示スクリーンとタブレットコンピュータの背面との間に配置された、タブレットコンピュータと、
前記タブレットコンピュータと電子的に通信し、側部構造を提供し、複数の入力スイッチを提供する入力デバイスであって、前記側部構造が、前記タブレットコンピュータの前記複数で３以下の側の少なくとも２つの対向する側に隣接し、かつ前記タブレットコンピュータの前記複数で３以下の側の前記少なくとも２つの対向する側で前記タブレットコンピュータを閉じ込め、前記入力スイッチが、前記タブレットコンピュータの前記複数の側の前記少なくとも２つの対向する側のそれぞれに隣接し、前記入力デバイスは前記タブレットコンピュータの前記背面の大部分よりも狭い部分をマスクし、前記入力デバイスは前記側部構造の間に配置されて前記タブレットコンピュータの前記複数の側のうちの第３の側に隣接したブリッジ構造をさらに含み、前記側部構造と結合した前記ブリッジ構造が、前記タブレットコンピュータが収まるＵ字形構造の垂直部分の間の構造を欠如した、３辺側部のＵ字形オープン構造を形成し、それにより前記タブレットコンピュータは前記３辺側部の構造に閉じ込められ、前記３辺側部の構造は前記タブレットコンピュータが前記３辺側部の構造内に完全に収められているときに、前記タブレットコンピュータが前記３辺側部の構造から誤って取り外されることを軽減する、入力デバイスと、
前記入力デバイスおよび前記タブレットコンピュータのそれぞれと通信するデバイスドライバと
を含むデバイス。
【請求項２】
前記複数のスイッチのうちの所定の数のスイッチが、互いに協働して入力装置を形成し、前記入力装置は、前記タブレットコンピュータの前記電子表示スクリーンに表示される仮想オブジェクトの表示を制御する、請求項１に記載のデバイス。
【請求項３】
前記デバイスドライバが、前記タブレットコンピュータに常駐する、請求項１に記載のデバイス。
【請求項４】
前記デバイスドライバが、前記入力デバイスに常駐する、請求項１に記載のデバイス。
【請求項５】
前記入力デバイスが、通信プロトコルを経由して前記タブレットコンピュータと通信する、請求項１に記載のデバイス。
【請求項６】
前記複数のスイッチのうちの選択スイッチが、ハウジングの手動操作時に、前記タブレットコンピュータに提供される所定の信号を生成する、前記ハウジングを提供する、請求項１に記載のデバイス。
【請求項７】
ビデオゲームをさらに含み、
前記ビデオゲームが、前記電子表示スクリーンによって表示される仮想オブジェクトを提供し、前記仮想オブジェクトが、前記入力デバイスからの入力に応答する、
請求項１に記載のデバイス。
【請求項８】
コンピュータゲームをさらに含み、
前記コンピュータゲームが、前記電子表示スクリーンによって表示されるオブジェクトを提供し、前記オブジェクトが、前記入力デバイスからの入力に応答する、
請求項１に記載のデバイス。
【請求項９】
前記入力デバイスのそれぞれの側部構造が、複合体、個々の複合体と連結した凹型指支持構造、ユーザの手に快適になじむ凹型指拘束部で構成された、請求項１に記載のデバイス。
【請求項１０】
複数の側を提供し、前記複数の側のそれぞれが、タブレットコンピュータの電子表示スクリーンとタブレットコンピュータの背面との間に配置された、タブレットコンピュータと、
前記タブレットコンピュータと通信する電子ゲームであって、前記タブレットコンピュータの前記電子表示スクリーンに表示される仮想オブジェクトを提供する、電子ゲームと、
前記タブレットコンピュータの前記電子表示スクリーンに表示される前記仮想オブジェクトの動きを制御するための手段と
を含む装置。
【請求項１１】
前記電子表示スクリーンに表示される前記オブジェクトの動きを制御するための前記手段が、入力デバイスによって提供され、
前記入力デバイスは、
一対の側部構造であって、前記一対の側部構造のうちの１つが、前記タブレットコンピュータの前記複数の側のうちの第１の側に隣接し、かつ前記タブレットコンピュータの前記複数の側のうちの前記第１の側で前記タブレットコンピュータを閉じ込め、前記一対の側部構造のうちの第２の側部構造が、前記タブレットコンピュータの前記複数の側のうちの第２の側に隣接し、かつ前記タブレットコンピュータの前記複数の側のうちの前記第２の側で前記タブレットコンピュータを閉じ込め、前記タブレットコンピュータの前記複数の側のうちの前記第１の側および前記第２の側は、前記タブレットコンピュータの前記複数の側の対向する側である、一対の側部構造と、
前記タブレットコンピュータの前記複数の側の少なくとも２つの対向する側のそれぞれに隣接した複数の入力スイッチと、
前記一対の側部構造の間に配置されて前記タブレットコンピュータの前記複数の側のうちの第３の側に隣接したブリッジ構造であって、前記一対の側部構造と結合した前記ブリッジ構造が、前記タブレットコンピュータが収まるＵ字形構造の垂直部分の間の構造を欠如した、３辺側部のＵ字形オープン構造を形成し、それにより前記タブレットコンピュータは、前記３辺以内の側部の構造及びそれに関連するフランジによって閉じ込められ、前記３辺以内の側部の構造及びそれに関連するフランジは、前記タブレットコンピュータが前記３辺以内の構造及びそれに関連するフランジ内に完全に収められているときに、前記３辺以内の側部構造及びそれに関連するフランジから前記タブレットコンピュータが前記３辺構造から誤って取り外されることを軽減し、前記入力デバイスは前記タブレットコンピュータの背面の大部分より狭い部分をマスクし、前記３辺側部のＵ字形オープン構造はＵ字形構造の垂直部分の間の構造を欠如したものである、ブリッジ構造と
を含む、請求項１０に記載の装置。
【請求項１２】
前記タブレットコンピュータによって提供される第１の入力／出力コネクタと、
前記入力デバイスによって提供される第２の入力／出力コネクタと、
前記第１の入力／出力コネクタと前記第２の入力／出力コネクタとが共に接続されたときに、前記タブレットコンピュータと前記入力デバイスとの間に構造化された通信を提供する、通信プロトコルと
をさらに含む、請求項１１に記載の装置。
【請求項１３】
前記通信プロトコルが、ユニバーサルシリアルバスであり、前記第１の入力／出力コネクタおよび前記第２の入力／出力コネクタが、ユニバーサルシリアルバスコネクタである、請求項１２に記載の装置。
【請求項１４】
前記３辺構造が、Ｕ字型構造を形成する、請求項１３に記載の装置。
【請求項１５】
前記複数のスイッチのうちの所定の数のスイッチが、互いに協働して入力デバイスを形成し、前記入力デバイスが、前記タブレットコンピュータの前記電子表示スクリーンに表示されるビデオゲームの前記オブジェクトの動きを制御する、請求項１４に記載の装置。
【請求項１６】
前記入力デバイスが、トリガ、ジョイスティック、およびボタンからなるグループから選択される、請求項１５に記載の装置。
【請求項１７】
前記入力デバイスおよび前記タブレットコンピュータのそれぞれと通信するデバイスドライバをさらに含む、請求項１６に記載の装置。
【請求項１８】
前記デバイスドライバ及び、前記ビデオゲームが、前記入力デバイスに位置する、請求項１７に記載の装置。